(57)【要約】      （修正有）【課題】植栽部が乾燥しにくく、また植栽部の植物片の葉や枝、植物片などが飛散および落下しにくく、さらに意匠性の高いことを特徴とする緑化パネルを提供する。【解決手段】植栽部３と、該植栽部３を配置した基材４と、該植栽部３と該基材４とを覆う透光性カバー５とを少なくとも備える緑化パネル１の提供。【選択図】図１
2011024512.tif 000002
【特許請求の範囲】
【請求項１】
植物が植栽された植栽部と、該植栽部を配置した基材と、該植栽部と該基材とを覆う透光性カバーとを少なくとも備える、緑化パネル。
【請求項２】
透光性カバーがフィルムである、請求項１記載の緑化パネル。
【請求項３】
透光性カバーが天部と側壁部と開口部を有する有天容器である、請求項１記載の緑化パネル。
【請求項４】
透光性カバーが１または複数の貫通口を備える、請求項１〜３のいずれか１項記載の緑化パネル。
【請求項５】
基材および／または透光性カバーに灌水用の給排水口を備える、請求項１〜４のいずれか１項記載の緑化パネル。
【請求項６】
基材および／または透光性カバーが防水性を有する、請求項５記載の緑化パネル。
【請求項７】
植物が蘚苔類である、請求項１〜６いずれか１項記載の緑化パネル。
【請求項８】
植物が、エゾスナゴケ（Racomitrium japonicum）である、請求項７記載の緑化パネル。
【発明の詳細な説明】
【技術分野】
【０００１】
本発明は、植物が植栽された植栽部と、該植栽部が配置された基材と、該植栽部と該基材を覆う透光性カバーとを少なくとも備える緑化パネルに関する。
【背景技術】
【０００２】
都市部の温度が局所的に高くなる「ヒートアイランド現象」は、一つの要因として都市部の建築物や構造物の壁面が太陽光などによって加熱・蓄熱されることによって生じると考えられている。このため近年ではこのヒートアイランド現象を緩和するために、日射熱の軽減や大気中の二酸化炭素量を削減することを目的として、建築物や構造物の壁面を植物によって緑化することが注目されている。
【０００３】
建築物や構造物の壁面を緑化するために、今日様々な建築資材、例えば、緑化パネルが開発されている。例えば、フィルムで密封包装した植物栽培用パック（特許文献１を参照）、および着色可能な樹脂を備える緑化用資材（特許文献２を参照）等が報告されている。
【０００４】
しかしながら、従来の緑化パネルは、植栽部の植物が乾燥しやすい、また植栽部の植物の枯れ葉、枝等の植物片が飛散・落下しやすい等様々な構造的課題を有していた。
【０００５】
さらに、建築資材という観点においては、植栽された植物による均一な緑化面しか有さず、意匠性の乏しいものであった。
【先行技術文献】
【特許文献】
【０００６】
【特許文献１】特開2008-48697号公報
【特許文献２】特開2006-246712号公報
【発明の概要】
【発明が解決しようとする課題】
【０００７】
本発明は、植栽部への採光および植栽部の湿潤性がある程度確保されており、植栽部における植物の枯れ葉や枝等の飛散・落下を防ぐことができることを特徴とする緑化パネルを提供する。
【課題を解決するための手段】
【０００８】
本発明者らは、上記課題を解決すべく、鋭意検討した結果、緑化パネルにおける植栽部を透光性カバーにより覆うことによって、上記課題を解決し得ることを見出し、本発明を完成させるに至った。
【０００９】
すなわち、本発明は以下のとおりである。
［１］  植物が植栽された植栽部と、該植栽部を配置した基材と、該植栽部と該基材とを覆う透光性カバーとを少なくとも備える、緑化パネル。
［２］  透光性カバーがフィルムである、［１］の緑化パネル。
［３］  透光性カバーが天部と側壁部と開口部を有する有天容器である、［１］の緑化パネル。
［４］  透光性カバーが１または複数の貫通口を備える、［１］〜［３］のいずれかの緑化パネル。
［５］  基材および／または透光性カバーに灌水用の給排水口を備える、［１］〜［４］のいずれかの緑化パネル。
［６］  基材および／または透光性カバーが防水性を有する、［５］の緑化パネル。
［７］  植物が蘚苔類である、［１］〜［６］のいずれかの緑化パネル。
［８］  植物が、エゾスナゴケ（Racomitrium japonicum）である、［７］の緑化パネル。
【発明の効果】
【００１０】
本発明の緑化パネルは、植栽部が透光性カバーにより覆われているために、植栽部への採光を確保しつつ、植栽部の湿潤性を確保し乾燥を防ぐことができると共に、植栽部における植物の枯れ葉や枝等の飛散・落下を防ぐことができる。
【図面の簡単な説明】
【００１１】
【図１】図１は、透光性カバーにより覆われた有底容器状の基材の開口部の面積が、該基材の植栽部を有する底部の面積と等しい緑化パネルの断面図を示す。
【図２】図２は、透光性カバーにより覆われた有底容器状の基材の開口部の面積が、該基材の植栽部を有する底部の面積よりも小さい緑化パネルの断面図を示す。
【図３】図３は、有天容器状の透光性カバーにより、プレート状の基材に配置された植栽部が覆われている緑化パネルの断面図を示す。
【図４】図４は、貫通口を有する透光性カバーにより覆われた緑化パネルの断面図を示す。
【図５】図５は、貫通口を有する透光性カバーにより覆われた緑化パネルの断面図を示す。
【図６】図６は、貫通口を有する透光性カバーにより覆われた基材に給排水口を備える緑化パネルの断面図を示す。
【図７】図７は、貫通口を有する透光性カバーに給排水口を備える緑化パネルの断面図を示す。
【発明を実施するための形態】
【００１２】
以下、本発明を図面を参照して詳細に説明する。ただし、図に示された発明は本発明の一実施形態を示すものであり、本発明をこれらの発明に限定することを意図しない。
【００１３】
本発明の緑化パネルは、例えば建築物および建築物壁面等に取り付けることができる建築資材である。ここで「建築物」とは、ビルや家屋等の建物、橋梁、道路・軌道壁等の建築物を指す。「壁面」とは、外壁も内壁も含む、建築物の壁面を指す。また、「壁面」は、垂直面であっても、傾斜面であっても、水平面であっても良い。
【００１４】
図１に示すように、本発明の緑化パネル１は、植物２が植栽された植栽部３を底部８に有する有底容器状の形状を有する基材４を備え、かつ該植栽部３と基材４が透光性カバー５により覆われている。ここで、「透光性カバー５により覆われている」とは基材４の開口部６が透光性カバー５により塞がれていることを意味する。ここで、「塞がれている」とは、基材４の開口部６の辺縁部７が全て透光性カバー５と密着して閉じられている場合も、当該辺縁部７の一部が透光性カバー５と密着して一部が閉じられている場合も含む。当該辺縁部７の一部が透光性カバー５と密着して一部が閉じられている場合、閉じられていない部分により通気および／または通水を可能とする。
【００１５】
基材４の開口部６の面積、および深さなどは、植栽部３に植栽される植物２の大きさに応じて適宜設定することができ、特に限定されない。「開口部６の面積」とは、辺縁部７の内周で囲まれる部分の面積を指す。例えば、植栽部３に植栽される植物２が蘚苔類である場合、植物２の大きさは１〜５ｃｍ程の高さになることが予測され、その大きさに基づいて基材４の開口部６の面積、および深さなどを決定できる。図１に示すように、植栽部３を有する基材４の底部８の面積と開口部６の面積が一緒であっても良いし、図２に示すように開口部６の面積が基材４の底部８の面積よりも小さくても良く、その逆に基材４の底部８の面積が開口部６の面積よりも小さくても良い。
【００１６】
また、図３に示すように、本発明の緑化パネル１は、植物２が植栽された植栽部３を一表面に有するプレート状の形状を有する基材４を備え、かつ該植栽部３と基材４が透光性カバー５により覆われている。ここで、「透光性カバー５により覆われている」とは、透光性カバー５が、植栽部３と基材４との間に空間を形成するようにそれらを覆っている状態を指す。透光性カバー５の開口部６’は基材４により塞がれている。ここで、「塞がれている」とは、透光性カバー５の開口部６’の辺縁部７’が全て基材４と密着して閉じられている場合も、当該辺縁部７’の一部が基材４と密着して一部が閉じられている場合も含む。当該辺縁部７’の一部が基材４と密着して一部が閉じられている場合、閉じられていない部分により通気および／または通水を可能とする。
【００１７】
緑化パネル１において、植栽部３と基材４が透光性カバー５によって覆われることによって、植栽部３への採光を確保しつつ、透光性カバー５と基材４との間の、植栽部３が存在する空間の空気の対流を防止し、湿度の高い空気を当該空間内に留めることができ、植栽部３の乾燥を防ぐことができる。また、植栽部３と基材４が透光性カバー５によって覆われることによって、植物２の枯れ葉や枝、および切片等が、飛散や落下するのを防ぐことができる。
【００１８】
基材４の植栽部３を有する面および基材４の外底面１３の形状はいかなる形状であってもよい。有底容器状の基材４において、その底部８および外底面１３の形状は、丸、楕円、三角、正方形、ひし形等、いかなる形状であっても良く、凹面および／または凸面を有していても良い。プレート状の基材４において、植栽部３を有する面（以下、本明細書中において当該面を植栽面８’と呼ぶ場合がある）および外底面１３の形状もまた、丸、楕円、三角、正方形、ひし形等、いかなる形状であっても良く、凹面および／または凸面を有していても良い。
【００１９】
基材４の側面、すなわち、基材４の植栽部を有する面および外底面１３に交わる面の形状はその目的に応じて任意に形成することができ、特に限定されない。
【００２０】
基材４は、植栽部３を保持でき、かつ屋内外の設置に長期耐え得ることができる強度を有していればいかなる材料から形成されても良く、例えば、これらに限定されないが金属、樹脂、木、多孔質材料（セラミック、コンクリート等）から形成される。必要に応じて、水の流れを制御するために基材４はその全体または一部が防水性の材料により構成されていても良いし、防水シートによって覆われていても良い。
【００２１】
また基材４は、必要に応じてその一部または全体が着色（緑色、茶色等）されていても良く、植栽部３や緑化パネル１を設置する環境に応じて自由に色彩を設定することができる。
【００２２】
植栽部３は、植物２が植え付けられた、または着生された植栽基板９からなる。植栽基板９は、植物２を担持することができるとともに、植物２が生育するのに必要な水分および／または養分を保持できる物質で構成され、例えば、土、軽石、木片、植物繊維、不織布、および多孔質材料（セラミック、コンクリート、スポンジ等）からなる群から選択される一つ以上の物質を用いることができるがこれらに限定されない。好ましくは不織布を用いる。さらに、植栽基板９には、保水剤（架橋ポリアクリル酸ソーダゲルやＰＶＡ等）を含めても良い。植栽基板９に植え付けられたまたは着生された植物２は当該植栽基板９上で自生する。
【００２３】
植栽基板９に植えつけられるかまたは着生される植物２としては、植栽部３において生育し自生し得る植物であれば特に限定されず、例えば、芝、ツル性木本、リュウノヒゲ、ヤブラン、セダム類、蘚類、苔類、ツノゴケ類等が挙げられるが、これらに限定されない。好ましくは蘚類、苔類、および／またはツノゴケ類を用いる。
【００２４】
蘚類、苔類、ツノゴケ類は、水または肥料を混入した水（液肥）を与えて日光を当てるだけで生育可能であること、過剰に伸びたりしないために必要最小限のメンテナンスで済むこと、および乾燥条件に強いこと等の有利点を有する。
【００２５】
蘚類としては、ミズゴケ類（ミズゴケ亜綱）、クロゴケ類（クロゴケ亜綱）、ナンジャモンジャゴケ類（ナンジャモンジャゴケ亜綱）およびマゴケ類（マゴケ亜綱）等が利用できる。
苔類としては、ゼニゴケ類（ゼニゴケ亜綱）およびウロコゴケ類（ウロコゴケ亜綱）等が利用できる。
ツノゴケ類としては、ツノゴケ亜綱等を利用できる。
【００２６】
好ましくは、エゾスナゴケ（Racomitrium japonicum）、ハイゴケ（Hypnum plumaeforme）、ウマスギゴケ（Polytrichum commune Hedw.）、スギゴケ（Polytrichum juniperinum Willd. ex Hedw.）、ヤマトフデゴケ（Campylopus japonicus Broth.）、ゼニゴケ（Marchantia polymorpha）、ヒノキゴケ（Pyrrhobryum dozyanum）、ホソバオキナゴケ（Leucobryum juniperoideum）、カモジゴケ（Dicranum scoparium）、ミノゴケ（Macromitrium japonicum Dozy et Molk.）、ナガバチヂレゴケ（Ptychomitrium linearifolium Reimers et Sakurai）、シナチヂレゴケ（Ptychomitrium gardneri）を利用できる。
【００２７】
特に好ましくは、エゾスナゴケ（Racomitrium japonicum）を利用する。エゾスナゴケは渇水などを含む環境変化に特に強いために、様々な環境（例えば、道路や線路脇・高層ビル群の谷間など風圧が強い場所等）において生育可能である。故に、エゾスナゴケを植栽部に備えることによって、本発明の緑化パネルの設置適用範囲を広げることができる。
【００２８】
植栽部３は、基材４の植栽部を有する面の全面に設けられていても良いし、当該面の一部に設けられていても良い。また植栽部３の形状は、基材４の植栽部を有する面の形状および／または本発明の緑化パネル構造物の使用目的に応じて適宜決定することができ、特に限定されるものではなく、例えば、丸、楕円、三角、正方形、長方形、ひし形等、いかなる形状であっても良い。
【００２９】
透光性カバー５は、植栽部３に自生する植物２が生育可能な光を透過する。ここで「光を透過する」とは、光や粒子線が透光性カバー５の内部を通り植栽部３へと到達すること、および光や粒子線が透光性カバー５に設けられた貫通口１０を通って植栽部３へと到達することを指す。
【００３０】
必要とされる光の透過量は、植栽部３に自生する植物２に応じて適宜決定することができ、蘚苔類であれば光合成有効光量子束密度で２０〜２００μｍｏｌｍ−2ｓ−1の量を透過できれば良い。
【００３１】
透光性カバー５は、屋内外の設置に長期耐え得ることができる強度を有すればいかなる材料から形成されても良く、例えば、これらに限定されないが、ガラス、樹脂（アクリル樹脂、メタクリル樹脂、フルオレン系樹脂、シクロオレフィン樹脂、エポキシ樹脂、シリコーン系樹脂、有機・無機ハイブリッド樹脂、ポリカーボネート樹脂、ＴＡＣ樹脂、ポリスチレン樹脂、フッ素系樹脂、ポリエチレンテレフタレート樹脂、ＭＳ樹脂、ポリビニルアルコール樹脂等）、セルファン等が挙げられる。
【００３２】
さらに、透光性カバー５は、必要に応じてその一部または全体が着色（緑色、茶色等）されていても良く、植栽部３や緑化パネル１を設置する環境に応じて自由に色彩を設定することができる。透光性カバー５は屋内外の設置に長期耐え得ることができ、かつ必要な光の透過量を有することができれば、予め着色された材料から形成されていてもよく、あるいは無色透明のガラス、樹脂、セルファン等の材料の表面に、着色材料を周知の印刷技術、コーティング技術、インクジェット印刷技術等により形成しても良い。このように着色された透光性カバー５により植栽部３を覆うことによって、意匠性の高い緑化パネル１を得ることができる。
【００３３】
透光性カバー５は、有底容器状の基材４の開口部６を覆うことができれば、またはプレート状の基材４において、植栽部３と基材４との間に空間を形成してそれらを覆うことができれば、いかなる形状を有していても良い。透光性カバー５は、上記材料から製造されるプレートの形状を有していても、フィルムの形状を有していても良い。好ましくは、透光性カバー５はフィルムの形状を有する。透光性カバー５がフィルムの形状を有する場合、透光性カバー５がプレートの形状（例えば、アクリル板）である場合と比べて、張替えが容易であること、着色や貫通口あけ等の加工が容易であること等の有利点を有する。また、透光性カバー５は、上記材料から製造される有天容器の形状を有していても良い。「有天容器」とは、天部と側壁部と開口部６’からなる構成を有する形状を指し、当該開口部６’より植栽部３と基材４を覆うことができる。開口部６’の面積、および深さなどは、植栽部３に植栽される植物２の大きさに応じて適宜設定することができ、特に限定されない。「開口部６’の面積」とは、辺縁部７’の内周で囲まれる部分の面積を指す。有天容器には、半球形の凹面を有するドーム状の形状も含まれる。
基材４が有底容器である場合、透光性カバー５はフィルムの形状が好ましい。基材４がプレートである場合、透光性カバー５は有天容器の形状が好ましい。
【００３４】
透光性カバー５の植栽部３に対向する面は、その一部または全体に凹凸面を有していても良い。当該凹凸面を有することにより、当該面に付着した水滴を植栽部３に落とすことを可能とし、これにより植栽部３における植物２の生育を促すことができる。
【００３５】
透光性カバー５は、基材４に固定して設置されていても良いし、基材４に脱着可能な様式で設置されていても良い。
【００３６】
さらに、図４および５に示すように、透光性カバー５は、一または複数の貫通口１０を有する。当該貫通口１０より、採光、通水および通気を行うことができる。透光性カバー５が貫通口１０により通水性を有することによって、給水装置など特別な手段が無くとも透光性カバー５に付着した水分が緑化パネル内部または外部へ流入または流出することが可能となる。具体的には植物の生育に必要な水分（雨水等）は、貫通口１０により緑化パネル内部に流入し、植栽部３に水分を供給することができる。透光性カバー５が貫通口１０により通気性を有することによって、送風装置など特別な手段が無くとも緑化パネル外部の気体を緑化パネル内部へ、また緑化パネル内部の気体を緑化パネル外部へと給排気することが可能である。具体的には植物の生育に必要な酸素や二酸化炭素等を含む外気がパネル内部に流入し、植栽部３に給気することができる。透光性カバー５が貫通口１０を有する場合、貫通口１０を通して採光することができるために、透光性カバー５自体の材料は透光性を有していても、有していなくても良い。
【００３７】
貫通口１０の形状は特に限定されず、丸型、角型、スリット型等、何れの形状であっても良い。
貫通口１０の大きさおよび範囲は特に限定されないが、下記の点を考慮して決定する：
（１）植栽部３に自生する植物２の枯れ葉や枝等が貫通口１０を通じて飛散・落下しない大きさであること；
（２）植栽部３に自生する植物２の生育に必要な光量を得ることができる大きさであること；
（３）植栽部３が存在する空間内の湿度を保持することができる大きさであること；ならびに
（４）植栽部３が存在する空間内へ給水できる大きさであること。
【００３８】
以上の点を考慮すると、貫通口１０の開口した部分の最大の長さ（すなわち、貫通口１０の直径、対角線の長さ、スリット長等）が５ｃｍ以下、４ｃｍ以下、３ｃｍ以下、２ｃｍ以下、１ｃｍ以下、好ましくは０．５ｃｍ以下の範囲にあれば良い。貫通口１０の最も開口した部分の長さが大きすぎると、植物の枯れ葉や枝等が貫通口１０を通して飛散・落下してしまうし、また植栽部に保持されるべき水分が貫通口１０を通して蒸発してしまう。
【００３９】
透光性カバー５表面に対する貫通口１０の占有率（透光性カバー５表面に対する貫通口１０の面積比）は、植栽部３に自生する植物２に応じて適宜決定することができ、蘚苔類であれば透光性カバー５全体の５〜１５％程度（プレート自体の材料が非透光性であり、貫通口１０からのみ採光する場合には１０％程度）であることが好ましく、貫通口１０を有する透光性カバー５全体で光合成有効光量子束密度で２０〜２００μｍｏｌｍ−2ｓ−1の量を透過できれば良い。
【００４０】
図６に示すように、基材４は植栽部３に灌水するための給排水口１１を備えていても良い。給排水口１１は基材４を貫通し、基材４の外部から、基材４の内部にある植栽部３に水１２を給水し、そして基材４の内部から基材４の外部へと水１２を排水する。この際、給水された水１２の一部は蒸発し、一部は透光性カバー５における貫通口１０より外へ出るが、一部は透光性カバー５に接して結露により水滴化し、水滴が落下することによりまた基材４の内部へと戻るために基材４の内部の湿潤性を保つことができる。
【００４１】
給排水口１１は、必要に応じて透光性カバー５に設けても良い。特に、基材４がプレート状である場合には、給排水口１１は透光性カバー５に設けることが好ましい（図７）。また、給排水口１１は、少なくとも一つを基材４に、かつ少なくとも一つを透光性カバー５に設けても良い。
【００４２】
さらに、基材４および／または透光性カバー５には難燃剤を含めても良いし、一部に含めても良い。難燃剤を「一部に含める」とは基材４または透光性カバー５の任意の部分を構成する材料のみが難燃剤を含むことを指す。「任意の部分」として、例えば、基材４の植栽部３を有する面および透光性カバー５の植栽部３と対向する面等が挙げられるがこれに限定されない。また基材４および／または透光性カバー５の全体または任意の部分が難燃剤によって覆われていても良い。難燃剤には有機系難燃剤と無機系の難燃剤があり、有機系難燃剤としては、臭素化合物であるペンタブロモジフェニルエーテル、オクタブロモジフェニルエーテル、デカブロモジフェニルエーテル、テトラブロモビスフェノールA、ヘキサブロモシクロドデカン等、リン化合物である芳香族のリン酸エステル、赤リン、ハロゲンを含むリン酸エステル等、塩素化合物である塩素化パラフィン等が挙げられる。また、無機系難燃剤としては、アンチモン化合物である臭素化合物、三酸化アンチモン、五酸化アンチモン等、金属水酸化物である水酸化アルミニウム、水酸化マグネシウム等が挙げられる。さらに、一般的な分類による難燃剤には含まれないが、ポリホウ酸ナトリウム等の不燃剤も利用することができる。本発明においては、これらの不燃剤も難燃剤に含めることによって、乾燥時に蘚苔類が燃焼するのを防ぐことができる。難燃剤は、植栽部３全体に含めても良いし、一部に含めても良い。「一部」とは基材４に配置された植栽部３のうち、任意の部分のみを指す。難燃剤は、例えば、スプレー等の散布により、機械コーティングやはけ塗り等の塗布により含ませることができる。
【産業上の利用可能性】
【００４３】
本発明の緑化パネルは、植栽部が透光性カバーによって覆われていることにより、植栽部の乾燥を防ぐことができると共に、植栽部の植物の枯れ葉や枝、植物片等の飛散および落下を防止することが可能である。さらに、本発明の緑化パネルは、その透光性カバーが、植栽部の植物や緑化パネルの設置環境の雰囲気に合わせて着色可能であり、意匠性の高い緑化パネルである。これらの特徴から、本発明の緑化パネルは、様々な建築物または建築物壁面等の建築資材として利用することができる。
【符号の説明】
【００４４】
１緑化パネル
２植物
３植栽部
４基材
５透光性カバー
６基材の開口部
７基材の辺縁部
６’透光性カバーの開口部
７’透光性カバーの辺縁部
８底部
８’植栽面
９植栽基板
１０貫通口
１１給排水口
１２水
１３外底面
【図１】
2011024512.tif 000003
【図２】
2011024512.tif 000004
【図３】
2011024512.tif 000005
【図４】
2011024512.tif 000006
【図５】
2011024512.tif 000007
【図６】
2011024512.tif 000008
【図７】
2011024512.tif 000009